(57)【特許請求の範囲】
【請求項１】
筒状のスティックと、土壌の酸度を判定する土壌酸度判定紙とを備え、前記土壌酸度判定紙はロール状に巻き、前記スティック内部に挿入されていることを特徴とする土壌酸度判定スティック。
【請求項２】
前記筒状のスティックは土が入らない程度の穴を有することを特徴とする請求項１に記載の土壌酸度判定スティック。
【発明の詳細な説明】
【０００１】
【発明の属する技術分野】
本発明は、野菜や草花の栽培に使われる土壌の酸度を判定する土壌酸度判定スティックとそれを用いた土壌酸度判定方法に関する。
【０００２】
【従来の技術】
野菜や草花の生育には、ＰＨ値が５．８〜７．０の土壌、すなわち、弱酸性〜中性の土壌が最も適している。ところが、日本の土壌のほとんどは酸性である。これは、雨が降った土壌をそのまま放っておくと、土壌がどんどん酸性に傾いてしまうからであり、このような酸性土壌での野菜や草花の栽培は生育に悪影響を及ぼす。そこで、このような土壌での野菜や草花の栽培には石灰を撒くのが良いとされている。これはアルカリ性の石灰を撒き、酸性の土壌を中和させて弱酸性〜中性に近づけるためであるが、酸度の強弱の判定は、見た目では判断できないため、人間の感覚で土壌の酸度を調節することはできない。正確な土壌状態も知らずに石灰を撒くと、土壌が硬くなってしまったり、野菜や草花への肥料の吸収が悪くなってしまい、石灰を撒くことで逆効果になってしまうこともある。土壌の酸度を判定するものとしては、ＰＨ測定器や酸度測定液、またはリトマス紙等がある。ＰＨ測定器は、土壌のＰＨ値をデジタル表示するものであり、土壌に装置の測定部を接触させてＰＨ値の判定、すなわち酸度の強弱の判定を行う。また、酸度測定液は、酸度を測定する液体であり、コップなどの容器に土壌と水をおおよそ１対２の割合で入れてかき混ぜ、かき混ぜた後に測定液を入れて再度かき混ぜ、液体の変化した色と酸度判定表とを比較して、酸度の強弱を判定する。上記したように、土壌の酸度を判定するものとしては、ＰＨ測定器や酸度測定液等もあるが、最も低価格で簡易なものはリトマス紙である。リトマス紙はＰＨ値の判定、すなわち酸度の強弱を判定する試験紙であり、青色のものや赤色のものがある。酸度が強い場合には青色のリトマス紙は赤色に変色し、アルカリ度が強い場合には赤色のリトマス紙は青色に変色する。図７に示すようにプランター１５０内の土壌１１０にリトマス紙２０を付け、リトマス紙２０の色の変化を見ることにより、土壌１１０の酸度の強弱は判定される。例えば、青色のリトマス紙２０が赤色に変化した場合、土壌１１０の酸度は強いと判定され、この時には、石灰またはアルカリ肥料を撒く。また、赤色のリトマス紙２０が青色に変した場合、土壌１１０の酸度は弱いと判定され、この時には、石灰を取り除いたり、酸性肥料を撒く。
【０００３】
【発明が解決しようとする課題】
しかしながら、リトマス紙２０を用いた土壌酸度の判定は、図７（ａ）にも示したようにリトマス紙２０には土１２０が付いてしまい、誤った色の確認をしてしまう恐れがある。また、土壌１１０が乾いている場合、その土壌１１０の上からリトマス紙２０を付けても土壌１１０の成分はリトマス紙２０に付かないため変色が確認できず、土壌酸度の判定をすることができなかった。そこで、乾いた土壌の酸度判定には、一旦、水（図示しない）を土壌１１０に通過させ、プランターの皿１７０に溜まった水にリトマス紙２０を付けることで行っている。こうすることで、土壌１１０の成分をリトマス紙２０に浸けて色の変化を見ることはできるが、この場合にも、プランターの皿１７０に水と一緒に溜まった土１２０がリトマス紙２０に付き、誤った色の確認をしてしまい、正確な土壌酸度の判定を行うことができない場合があった。
【０００４】
本発明は、上記課題に鑑みなされたものであり、リトマス紙を用いた土壌酸度の判定において、リトマス紙の変色の確認を正確に行うため、リトマス紙に土を付着させることのない、土壌酸度判定スティックとそれを用いた土壌酸度判定方法を提供することを目的とする。
【０００５】
【課題を解決するための手段】
本発明は、上記目的を達成するため、土壌の酸度を判定するリトマス紙をロール状に巻き、筒状のスティックに挿入したことを特徴とする、土壌酸度判定スティックを提供するものである。
これにより、リトマス紙に土を付着させることなく、リトマス紙の変色の確認を正確に行い、正確な土壌の酸度を判定することができる。
【０００６】
【発明の実施の形態】
本発明の請求項１に記載の土壌酸度判定スティックは、筒状のスティックと、土壌の酸度を判定する土壌酸度判定紙とを備え、土壌酸度判定紙はロール状に巻き、スティック内部に挿入されていることを特徴とするものである。これにより、リトマス紙に土を付着させることなく、リトマス紙の変色の確認を正確に行い、正確な土壌の酸度を判定することができる。
【０００７】
また、本発明の請求項２に記載の土壌酸度判定スティックは、請求項１に記載の土壌酸度判定スティックについて、筒状のスティックは土が入らない程度の穴を有することを特徴とするものである。これにより、水がスティック内部に入り易くなり、リトマス紙の変色の確認がし易くなる。
【０００８】
（実施の形態）
以下、図面に基づいて本発明の実施の形態を説明する。
はじめに、本実施の形態で用いる土壌酸度判定スティックの構成について、図１及び図２に基づいて説明する。図１は土壌酸度判定紙の巻く前の状態を示し、図２は土壌酸度判定紙とスティックとを別々に示す図（ａ）と、土壌酸度判定紙をスティックに挿入した様子を示す図（ｂ）である。
【０００９】
図において、１はスティック、２はリトマス紙、１０は土壌酸度判定スティックである。スティック１は、細長い筒状のスティックであり、リトマス紙２は土壌の酸度を判定、すなわち土壌のＰＨ値を判定する紙であり、ロール状に巻いたことを特徴とする。そして、これらスティック１とリトマス紙２とから土壌酸度判定スティック１０はなり、リトマス紙２をスティック１に挿入することにより、リトマス紙２に土を付着させることなく、リトマス紙２の色の変化を見ることができ、正確な土壌の酸度を判定することができる。
【００１０】
土壌酸度判定スティック１０を用いて土壌の酸度を判定する手順を以下、図３〜図５に基づいて説明する。図３は土壌酸度判定スティックを用いて土壌酸度の判定をする様子を示す図であり、図４は土壌酸度判定スティックを用いて土壌の酸度を判定する手順を示すフロー図であり、図５は土壌酸度判定表を示す図である。
【００１１】
図３において、１０は土壌酸度判定スティック、１１は土壌、１２は土、１３は水、１４は植物、１５はプランター、１６は穴、１７は皿、１８はジョーロである。はじめに、ジョーロ１８に入った水１３を、植物１４及び土壌１１に与えて通過させる（ＳＴＥＰ１→ＳＴＥＰ２）。これにより、プランターの皿１６には土壌の成分を採取した水が溜まる（ＳＴＥＰ３）。そして次に、皿１６に溜まった水１３に、土壌酸度判定スティック１０を浸ける（ＳＴＥＰ４）。水１３に浸けると、土壌酸度判定スティック１０内の土壌酸度判定紙２は変色するので、土壌酸度判定紙２と土壌酸度判定表（図５）とを比較する（ＳＴＥＰ５）。土壌酸度判定紙２の色が肌色〜黄緑色の場合、土壌１１のＰＨ値は５．８〜７．０で弱酸性〜中性であり、野菜や草花の栽培に最適な土壌である（ＳＴＥＰ６→終了）。また、土壌酸度判定紙２の色が緑色〜深緑色の場合、土壌１１のＰＨ値は７．４〜７．８で弱アルカリ性〜アルカリ性であり、野菜や草花の栽培に不適切な土壌であるので、土壌１１に含まれている石灰を取り除いたり、酸性肥料を撒くなどして土壌１１を中和させて再度土壌に水を与えて、土壌の酸度判定を行う（ＳＴＥＰ７→ＳＴＥＰ８→ＳＴＥＰ１）。また、土壌酸度判定紙２の色が赤色〜橙色の場合、土壌１１のＰＨ値は５．０〜５．４で酸性であり、野菜や草花の栽培に不適切な土壌であるので、土壌１１には石灰や他のアルカリ肥料を撒くなどして土壌１１を中和させて再度土壌に水を与えて、土壌の酸度判定を行う（ＳＴＥＰ９→ＳＴＥＰ１０→ＳＴＥＰ１）。
【００１２】
以上、本実施の形態によれば、リトマス紙をスティック内部に挿入したので、これを用いた土壌酸度の判定は、リトマス紙に土を付着させることなく、リトマス紙の色の変化を見ることができ、土壌の酸度の判定を正確に行うことができる。
なお、図６にも示したが、スティック１'内部に土が入らない程度の穴１９をスティック１'に空けてもよく、これにより、プランターの皿１７に溜まった水１３がスティック１'内部に入り易くなり、リトマス紙２の変色の確認がし易くなる。
また、実施の形態で用いたリトマス紙２の色については特に説明しなかったが、酸性に反応する青色のリトマス紙を用いても、アルカリ性に反応する赤色のリトマス紙を用いても、または、その両方を用いても良いことは言うまでもない。さらに、リトマス紙２の性質についても特に説明しなかったが、狭い範囲のＰＨ値（例えば５〜８ＰＨ）を判定するものを用いても、広い範囲のＰＨ値（例えば１〜１１ＰＨ）を判定するものを用いても、またはその両方を用いても良いことも言うまでもない。
【００１３】
【発明の効果】
以上の説明から明らかなように、本発明は、土壌の酸度を判定するリトマス紙をロール状に巻き、筒状のスティックに挿入したので、リトマス紙に土を付着させることなく、リトマス紙の変色の確認を正確に行い、正確な土壌の酸度を判定することができる。
【図面の簡単な説明】
【図１】土壌酸度判定紙の巻く前の状態を示す図
【図２】（ａ）土壌酸度判定紙とスティックとを別々に示す図  （ｂ）土壌酸度判定紙をスティックに挿入した様子を示す図
【図３】土壌酸度判定スティックを用いて土壌酸度の判定をする様子を示す図
【図４】本発明の土壌酸度判定スティックを用いて土壌の酸度を判定する手順を示すフロー図
【図５】本発明の実施の形態で用いる土壌酸度判定表を示す図
【図６】スティックに穴を空けた様子を示す図
【図７】リトマス紙を用いて土壌酸度の判定をする様子を示す図
【符号の説明】
１  スティック
２  リトマス紙（土壌酸度判定紙）
１０  土壌酸度判定スティック
１１  土壌
１３  水
【図１】
0003834520.tif 000002
【図２】
0003834520.tif 000003
【図３】
0003834520.tif 000004
【図４】
0003834520.tif 000005
【図５】
0003834520.tif 000006
【図６】
0003834520.tif 000007
【図７】
0003834520.tif 000008